(57)【要約】      （修正有）【課題】構造が簡単で、車が正常でない速度や方向から進入してもトラブルとならない、バリアフリーの車止め構造を提供する。【解決手段】駐車場の地面から掘り下げた凹陥部４と、凹陥部４に蓋する状態をとり得る前板８と後板９とから成る組み合わせ板６と、前板を左右方向に回動可能に支持する前板支持部２６と、後板９を左右方向に回動可能に支持する後板支持部３８と、前板８及び後板９を上方に付勢する付勢手段６２とを含んで構成され、組み合わせ板６のそれぞれの面が地面１と面一になる一の状態と、後板９の後端部が、後板９の前端部より上方に位置する二の状態とが可能とされ、二の状態から一の状態に移行する方向に付勢手段６２により付勢され、組み合わせ板６に物体が載せられていないときに一の状態となり、車の車輪７０が組み合わせ板６に乗せられたときに二の状態となる車止め構造である。【選択図】  図１
2004293224.tif 000002
【特許請求の範囲】
【請求項１】
駐車場の地面から掘り下げた凹陥部と、
前板と後板とから成り、該前板の後端部と該後板の前端部とが近接又は連結され、該凹陥部に蓋する状態をとり得る組み合わせ板と、
該前板を左右方向を軸心として回動可能に支持する前板支持部と、
該後板を左右方向を軸心として回動可能に支持する後板支持部と
前記前板の後端部及び前記後板の前端部を上方に付勢する付勢手段と
を含んで構成され、
前記組み合わせ板が、
前記前板と前記後板のそれぞれの面が前記地面と面一になる一の状態と、
該前板の前端部が、前記凹陥部の前縁又は該前縁の近傍に位置し、該前板の後端部及び該後板の前端部が前記地面と面一な面から下方の位置に位置し、該後板の後端部が、該後板の前端部より上方に位置する二の状態とをとることとが可能とされた車止め構造。
【請求項２】
前記付勢手段の付勢力が、前記組み合わせ板に人の体重に相当する荷重以下の荷重が下方にかかっているとき前記一の状態を保持するように設定された請求項１に記載の車止め構造。
【請求項３】
前記二の状態において前記後板の後端部が前記地面より上方に位置する請求項１又は２に記載の車止め構造。
【請求項４】
前記後板の前端部と前記前板の後端部とを連結して連動させる連動部を備え、
前記前板支持部が、前記凹陥部の前縁部に前記前板の前端部を連結する前板連結部であり、
前記凹陥部の内側に前記後板又は前記前板の運動を当止する当止面が設けられ、当止された状態で前記後板の面が水平となる
請求項１乃至３のいずれかに記載の車止め構造。
【請求項５】
前記付勢手段がコイルバネを含んで成り、前記連動部に該コイルバネが装着された請求項４に記載の車止め構造。
【請求項６】
前記連動部が、前記後板の前端部に設けられた前記前板の後端部を載置する載置部であり、前記後板支持部が、前記後板の前後方向中央部を支持する後板連結部である請求項４に記載の車止め構造。
【請求項７】
前記付勢手段がコイルバネを含んで成り、前記後板連結部に該コイルバネが装着された請求項６に記載の車止め構造。
【発明の詳細な説明】
【０００１】
【発明の属する技術分野】
本発明は駐車場に設けられる車止めに関する。詳しくは、バリアフリーの機能を有する車止めに関する。
【０００２】
【従来の技術】
駐車場に設けられる車止めとしては、高さ、幅１０ｃｍ、長さ６０ｃｍ程度のサイズの一対のコンクリートブロックを車輪の間隔に対応して地面に固定したものが一般的である。しかし、このような突起物を地面に固定する態様は、障害者の歩行を妨げ危険である場合がある。
【０００３】
この問題に対処するためには、駐車時のみ車止め機能を果たし、車が駐車されていないときには駐車スペースの地面がその周囲の地面と面一になるような方式を実現することが好ましい。このような方式としては、例えば、有料駐車場の駐車管理に用いられるようなロック板を備え、地面から突出しない状態で設置された機構物を駐車場に設置し、車が駐車されていないときにはそのロック板が水平に倒れ、駐車時のみそのロック板が起立して車止めとなる方式が考えられる。
【０００４】
従来のロック板を備えた駐車管理機構物は、車一台分の駐車スペースが定められ、その駐車スペースの一側方境界部分から内方に向けロック板が設けられ、このロック板は基端に備えた支持軸を回転可能に水平に軸支されており、そしてこの支持軸を起伏装置によって回転駆動させることにより、前記ロック板を起伏させるように設けられていた。このような機構物としては公知の機構物（例えば、特許文献１参照。）を用いることが出来ると考えられる。
【０００５】
しかし、このような機構物は、ロック板の駆動に複雑な機構を必要とし、かつ、車の進入を感知する感知機構の設置が不可欠であり、製造コストや維持コストが高く、不特定多数の人が不定時かつ無料で使用する駐車場には適さない。
【０００６】
一方、図７に示すように、地面にピットを掘ってその開口部を踏み板で覆い、駐車時にその踏み板がピットの中に車の重みで下降する方式が考えられる。この方式の公知の具体例としては、図７に示すように、地面２０１にピット２０２を掘り、開口部を踏み板２０４で覆い、踏み板２０４の前端がピット２０２の前縁に軸着部２１０を介して軸着され、踏み板２０４が圧縮バネ２１２を介してピット２０２の底面に支えられる車止め構造２３０が挙げられる。車のない状態では、踏み板２０４が圧縮バネ２１２を介してピット２０２の底面に支えられて地面２０１と面一となり、車の車輪２１４が踏み板２０４に載ると踏み板２０４が軸着部２１０を支点に圧縮バネ２１２の付勢力に抗して下方に移動し踏み板２０４の後端がストッパ２２２で当止される位置まで下降する。これにより、ピット２０２の後側壁面２２０が車止めとなる。
【０００７】
しかし、この方式では、車止めとなる後側壁面２２０が、地面２０１に対して直角となるので、車が勢い良く踏み板２０４に進入してきた場合に、車輪が後側壁面２２０と地面２０１との交わる直角の縁２２４に激突することとなり、搭乗者に衝撃を与えたり、車輪を損傷したりするおそれがある。更に、車が踏み板２０４の前後方向と直角に踏み板２０４に進入してきた場合には、車輪が左又は右の側壁面と地面２０１との交わる直角の縁に衝突することとなり、この場合も搭乗者に衝撃を与えたり、車輪を損傷したりするおそれがある。更に、車が後側壁面２２０のがわから進入すると、車輪が踏み板２０４を踏んで急激に下降するので乗員及び車への衝撃が大きい。
【０００８】
【特許文献１】
特開昭６０−１９８７５号公報（第２〜３頁、第１〜３図）
【０００９】
【発明が解決しようとする課題】
本発明は、これら問題点に鑑み、構造が簡単で、車が正常でない速度で進入したり、正常でない方向から進入してもトラブルとならない、バリアフリーの車止め構造を提供しようとする。
【００１０】
【課題を解決するための手段】
本発明の要旨とするところは、駐車場の地面から掘り下げた凹陥部と、
前板と後板とから成り、該前板の後端部と該後板の前端部とが近接又は連結され、該凹陥部に蓋する状態をとり得る組み合わせ板と、
該前板を左右方向を軸心として回動可能に支持する前板支持部と、
該後板を左右方向を軸心として回動可能に支持する後板支持部と
前記前板の後端部及び前記後板の前端部を上方に付勢する付勢手段と
を含んで構成され、
前記組み合わせ板が、
前記前板と前記後板のそれぞれの面が前記地面と面一になる一の状態と、
該前板の前端部が、前記凹陥部の前縁又は該前縁の近傍に位置し、該前板の後端部及び該後板の前端部が前記地面と面一な面から下方の位置に位置し、該後板の後端部が、該後板の前端部より上方に位置する二の状態とをとることとが可能とされた車止め構造であることにある。
【００１１】
前記車止め構造においては、前記付勢手段の付勢力が、前記組み合わせ板に人の体重に相当する荷重以下の荷重が下方にかかっているとき前記一の状態を保持するように設定され得る。
【００１２】
前記車止め構造においては、前記二の状態において前記後板の後端部が前記地面より上方に位置し得る。
【００１３】
又、本発明の要旨とするところは、前記後板の前端部と前記前板の後端部とを連結して連動させる連動部を備え、
前記前板支持部が、前記凹陥部の前縁部に前記前板の前端部を連結する前板連結部であり、
前記凹陥部の内側に前記後板又は前記前板の運動を当止する当止面が設けられ、当止された状態で前記後板の面が水平となる前記車止め構造であることにある。
【００１４】
前記車止め構造においては、前記付勢手段がコイルバネを含んで成り得、前記連動部に該コイルバネが装着され得る。
【００１５】
前記車止め構造においては、前記連動部が、前記後板の前端部に設けられた前記前板の後端部を載置する載置部であり得、前記後板支持部が、前記後板の前後方向中央部を支持する後板連結部であり得る。
【００１６】
前記車止め構造においては、前記付勢手段がコイルバネを含んで成り得、前記後板連結部に該コイルバネが装着され得る。
【００１７】
【発明の実施の形態】
本発明に係る態様を図面に基づいて詳しく説明する。なお、本明細書においては、各図にわたって記される同じ符号は同一又は同様の部材やものを示す。図１は本発明の車止め構造２の側面がわからの説明図であり、図２は、図１の上面からみた説明図である。車止め構造２においては、駐車場の地面１から掘り下げ凹陥部４が形成され、凹陥部４には壁面を形成する壁面材５が設けられる。凹陥部４の開口部には、凹陥部４に蓋をする状態で、図面視左方（前がわ）から進入して駐車された車の車輪が乗せられることとなる組み合わせ板６が設けられる。組み合わせ板６は、自身の前部に配された前板８と後部に配された後板９とから成る。後板９は前端部１８に載置板１６が固着され、載置板１６上に前板８の後端部２０が載置される配置となる。載置板１６が前板の後端部２０を載置する載置部１９を構成し、載置部１９が、後板９の前端部１８と前板８の後端部２０とを連動する連動部２１を構成する。前板８の前端部２２が、凹陥部４の前方の縁部２４と前板連結部（前板支持部）２６を介して連結されている。前板連結部２６は、前方の縁部２４から内側に突出する一対の軸受け部２８と、前板８の前端部２２から下方に突出する軸保持部３０と、軸保持部３０から左右に突出し、軸受け部２８に左右方向を軸心として軸着する軸部３４とから成る。
【００１８】
後板９が、後板９の前後方向にみた中央部の下面で、凹陥部４の側方の側壁部３６と後板連結部３８を介して連結されている。後板連結部（後板支持部）３８は、前後方向に延びる面を有する側壁部３６から内側に張り出され、片面４２を前方の縁部２４に面して垂直に配置し、片面４２に直交する面４４を空がわに面して水平に配置したアングル形状の固定子４０と、片面４２から前方に突出するロッド保持部４８と、軸心を水平かつ左右方向に向けてロッド保持部４８に保持されるロッド５０と、ロッド５０を左右方向を軸心として軸着する後板軸受部５２とで構成される。後板軸受部５２は後板９の下面の前後方向にみた中央部で後板９に固定されている。
【００１９】
面４４は後板９の面が水平になった状態で後板９の後端部５８の下面５４を下から受けて後端部５８がそれ以上下降しないよう当止する当止面６０となっている。
【００２０】
コイルバネ６２のコイル部にロッド５０が挿通されて、ロッド５０にコイルバネ６２が装着されている。コイルバネ６２の直線状の一端部６４が、後板９の前端部１８の下面に当接し、コイルバネ６２の直線状の他端部６６が片面４２に当接している。これにより、後板９は、前端部１８が上昇し後端部５８が下降する方向に付勢される。
【００２１】
この付勢により、組み合わせ板６に物体が載せられていないときに、前板８と後板９のそれぞれの面が前記地面と面一になる実線で示す一の状態が実現する。車の車輪７０が組み合わせ板６に乗せられたときに、前板８の前端部２２が、凹陥部４の前縁の近傍に位置し、前板８の後端部２０が矢印Ｙの方向に下降して地面１と面一な面より下方の位置に位置し、後板９の前端部１８が、その位置の近傍に位置し、かつ後板９の後端部５８が、後板９の前端部１８の位置より上方に位置する、破線で示す二の状態が実現する。上昇し斜めになった後端部５８により、車輪７０が当止されるので、車輪７０への衝撃が少なく、かつ後端部５８が地面１よりも上方に上昇するので確実に車輪７０が当止される。
【００２２】
この車止め構造２の構成においては、コイルバネ（付勢手段）６２により、前板８と後板９とが、二の状態から一の状態に移行する方向に付勢されている。なお、一の状態においても、後板９は後端部５８が下降する方向にコイルバネ６２により付勢されていることが好ましい。一の状態における付勢力の大きさは、車輪７０が組み合わせ板６に載置されたときに二の状態が実現し、人が組み合わせ板６に乗ったときにその体重に抗して組み合わせ板６が水平に保たれる程度の大きさである。破線で示すコイルバネ６２の一端部６４の状態は、コイルバネ６２の他端部６６が片面４２に当接して一端部６４に力がかからない仮想状態である。コイルバネ６２はロッド５０等とともに左右方向に複数個配設されることが好ましい。
【００２３】
例えば、人の体重を例外的ともいえる場合を除いて１００ｋｇ以下とみなすと、車止め構造２においては、組み合わせ板６に１００ｋｇ以下の荷重がかかった場合、コイルバネ６２の付勢力は、前板８の後端部２０と後板９の前端部１８とを上方に向けて支え、組み合わせ板６が一の状態にとどまる強さである。又、組み合わせ板６に、車の重量により車輪にかかる荷重である１２５ｋｇ以上の荷重がかかった場合、コイルバネ６２の付勢力はこの荷重に耐え切れず、組み合わせ板６が、一の状態から二の状態に移行する。この１２５ｋｇは、車の重量を軽量の自動車の標準的な重量の範囲にある５００ｋｇとして車輪の数４で除した値である。
【００２４】
凹陥部４の底面７６に後板ストッパ７４が設けられて、後板９の前端部１８が二の状態より更に下降しないよう後板９を当止する。凹陥部４の底面７６が後板ストッパ７４の機能を果たしてもよい。又、凹陥部４の底面７６に前板ストッパ９９が設けられて、前板８が二の状態より更に下降しないよう前板８を当止することも好ましい。
【００２５】
車止め構造２のこのような構成により、車輪７０が組み合わせ板６に載置された二の状態で、後板９が斜向しその後端部５８が地面１の面より上方に位置して車輪７０を停止させることが可能となるので、車輪による荷重で組み合わせ板６の全体が凹陥部４の内側に沈む必要がない。このため、車輪による荷重で沈む組み合わせ板６の最大沈み高さＨは７ｃｍ前後と極めて小さくできる。従って、凹陥部４を深く掘り下げる必要がなく、工費が安く済む。又、車が横（左又は右方向）から進入しても、組み合わせ板６の沈み込み量が小さいので、凹陥部４に落下するとしても衝撃が小さい。更に、車が後方から進入しても、急激に凹陥部４に落下することがない。
【００２６】
本発明の他の態様の一例を図３（ａ）の側面がわからの説明図に示す。本発明の車止め構造２ａにおいては、凹陥部４の開口部に、凹陥部４に蓋をする状態で、駐車された車の後輪対又は前輪対が乗せられることとなる組み合わせ板６ａが設けられる。組み合わせ板６ａは、自身の前部に配された前板８ａと後部に配された後板９ａとから成る。前板８ａの前端部２２と凹陥部４の縁部２４とが、両者を回動自在に連結する回動自在連結部２６ａ（前板連結部（前板支持部）２６）を介して連結されている。前板８ａの後端部２０と後板９ａの前端部１８とが左右方向を軸心とする丁番８０（連動部８２）を介して結合されている。
【００２７】
後板９ａの下面の前後方向にみた中央部は、受け部（後板支持部）８８に備えられた受けロール９０で下から支持される。受け部８８は、左右方向を軸心として回動自在とされた受けロール９０と受けロール９０用のブラケット台９２から成り、ブラケット台９２は左右方向に凹陥部４の左右方向の側壁面から張られたベースアングル材９４に固定されている。
【００２８】
又、前板８ａの後端部２０と後板９ａの前端部１８との間にはコイルバネ（付勢手段）６２ａが架け渡されている。コイルバネ６２ａは、コイルの軸心を左右方向にして、直線状の一端部６４ａが後端部２０の下面と当接し、かつ、一端部６４ａは、この当接した面に固定されている。直線状の他端部６６ａが前端部１８の下面と当接している。コイルバネ６２ａは左右方向に複数個配設されることが好ましい。
【００２９】
図３（ｂ）の要部上面図にあわせ示すように、前板８ａの側縁部に切欠き９６が形成され、前板８ａの側縁部下面の切欠き９６が形成された部分に当て板９８が固定されている。一方凹陥部４の側縁部から当止子１００が内側に突出している。コイルバネ６２ａの付勢により上昇しようとする前板８ａが当て板９８を介して当止子１００の当止面により当止されて、当止された状態で前板８ａの面が水平となる。この状態で、当止子１００は、切欠き９６と当て板９８で形成される窪み１０２に入り込んでいる。
【００３０】
車の車輪７０が組み合わせ板６ａに乗せられたときに、前板８ａの前端部２２が、凹陥部４の前縁の近傍に位置し、前板８ａの後端部２０が、地面１と面一な面より下方の位置に位置し、後板９ａの前端部１８ａが、その位置の近傍に位置し、かつ後板９ａの後端部５８が、後板９ａの前端部１８の位置より上方に位置する、破線で示す二の状態が実現する。上昇し斜めになった後端部５８により、車輪７０が当止されるので、車輪７０への衝撃が少なく、かつ後端部５８が地面１よりも上方に上昇するので確実に車輪７０が当止される。
【００３１】
この車止め構造２ａの構成においては、コイルバネ（付勢手段）６２ａにより、前板８ａと後板９ａとが、二の状態から一の状態に移行する方向に付勢されている。なお、一の状態においても、後板９ａは後端部５８が下降する方向にコイルバネ６２ａにより付勢されている。一の状態における付勢力の大きさは、車輪７０が組み合わせ板６ａに載置されたときに二の状態が実現し、人が組み合わせ板６ａに乗ったときにその体重に抗して組み合わせ板６ａが水平に保たれる程度の大きさである。凹陥部４の底面７６に前板ストッパ７４ａが設けられて、前板８ａの後端部２０が二の状態より更に下降しないよう前板８ａを当止する。前板ストッパ７４ａは底面７６に複数個設けられてもよい。
【００３２】
受けロール９０は左右方向に延びる長尺のものであってもよいし、複数個の短尺のロールが左右方向に互いに間隔をおいて設けられてもよい。
【００３３】
本発明の更に他の態様の一例を図４の側面がわからの説明図に示す。本発明の車止め構造２ｂにおいては、凹陥部４の開口部に、凹陥部４に蓋をする状態で、駐車された車の後輪対又は前輪対が乗せられることとなる組み合わせ板６ａが設けられる。組み合わせ板６ａは、自身の前部に配された前板８ａと後部に配された後板９ａとから成る。前板８ａの前端部２２と縁部２４とが、両者を回動自在に連結する回動自在連結部２６ａ（前板連結部（前板支持部）２６）を介して連結されている。前板８ａの後端部２０と後板９ａの前端部１８とが左右方向を軸心とする丁番８０（連動部８２）を介して結合されている。
【００３４】
後板９ａの下面の前後方向にみた中央部は、受け部（後板支持部）８８で下から支持される。
【００３５】
一方、凹陥部４の底面７６から圧縮バネ１１０がコイルの軸心を垂直にして立設されている。圧縮バネ１１０の上端は、前板８ａの下面に当接し、前板８ａの後端部２０が上昇する方向に前板８ａを付勢している。又、凹陥部４の底面７６に前板ストッパ７４ｂが設けられて、前板８ａの後端部２０が二の状態より更に下降しないよう前板８ａを当止する。前板ストッパ７４ｂは底面７６に複数個設けられてもよい。
【００３６】
図３（ｂ）の要部上面図の態様と同様に、前板８ａの側縁部に切欠き９６が形成され、前板８ａの側縁部下面の切欠き９６が形成された部分に当て板９８が固定されている。一方凹陥部４の側縁部から当止子１００が内側に突出している。圧縮バネ１１０の付勢により上昇しようとする前板８ａが当て板９８を介して止子１００により当止されて、当止された状態で前板８ａの面が水平となる。
【００３７】
車輪７０が組み合わせ板６ａに乗せられたときに、前板８ａの前端部２２が、凹陥部４の前縁２４の近傍に位置し、前板８ａの後端部２０が、地面１と面一な面より下方の位置に位置し、後板９ａの前端部１８ａが、その位置の近傍に位置し、かつ後板９ａの後端部５８が、後板９ａの前端部１８ａの位置より上方に位置する、破線で示す二の状態が実現する。上昇し斜めになった後端部５８により、車輪７０が当止されるので、車輪７０への衝撃が少なく、かつ後端部５８が地面１よりも上方に上昇するので確実に車輪７０が当止される。
【００３８】
この車止め構造２ｂの構成においては、圧縮バネ（付勢手段）１１０により、前板８ａと後板９ａとが、二の状態から一の状態に移行する方向に付勢されている。なお、一の状態においても、後板９ａは後端部５８が下降する方向に圧縮バネ１１０により付勢されている。一の状態における付勢力の大きさは、車輪７０が組み合わせ板６ａに載置されたときに二の状態が実現し、人が組み合わせ板６ａに乗ったときにその体重に抗して組み合わせ板６ａが水平に保たれる程度の大きさである。圧縮バネ１１０は左右方向に複数個配設されることが好ましい。
【００３９】
本発明の又更に他の態様の一例を図５の側面がわからの説明図に示す。本発明の車止め構造２ｃにおいては、凹陥部４ｃの開口部に、凹陥部４ｃに蓋をする状態で、駐車された車の後輪対又は前輪対が乗せられることとなる組み合わせ板６ｃが設けられる。凹陥部４ｃには壁面を形成する壁面材５ｃが設けられる。組み合わせ板６ｃは、自身の前部に配された前板８ｃと後部に配された後板９ｃとから成る。前板８ｃの前端部２２から後端部２０にかけての中間部１２０の下面側と、凹陥部４ｃの前方の縁部２４とが丁番１２２を介して連結されている。前板８ｃの後端部２０と後板９ｃの前端部１８とが左右方向を軸心とする丁番１２４（連動部８２ｃ）を介して結合されている。車輪が載せられない図５（ａ）の状態では、前端部２２は、地面１から凹陥部４ｃの縁部２４に至る地面１よりも一段下がった段差部の水平面１２４上に重畳された状態で当接している。前板８ｃの後端部２０が、圧縮バネ（付勢手段）１２６により上方に付勢されており、かつ前端部２２のこれ以上の下降が水平面１２４により妨げられているので、前板８ｃはこの状態で水平を保つ。後板９ｃの後端部５８は、地面１から凹陥部４ｃの後縁部１３０に至る地面１よりも一段下がった段差部の水平面１３２上に重畳された状態で当接している。これにより、組み合わせ板６ｃは水平を保つ。
【００４０】
車輪が載せられた図５（ｂ）の状態では、前板８ｃは後端部２０がストッパ１３４に当接する位置まで下降し、又、後板９ｃは、後縁部１３０上をスライドしつつ後縁部１３０を支点として前端部１８が下降し、後端部５８が地面１よりも上方に上昇する。上昇し斜めになった後端部５８により、車輪７０が当止されるので、車輪７０への衝撃が少なく、かつ後端部５８が地面１よりも上方に上昇するので確実に車輪７０が当止される。
【００４１】
図６に車止め構造の地面への配置と車輪対の位置関係を示す。図６（ａ）は、１個の車輪対９０に対して２個の車止め構造２（２ａ、２ｂ）が設けられる態様である。即ち、個々の車輪７０に対応して凹陥部４が設けられる。図６（ｂ）は、１個の車輪対９０に対して１個の車止め構造２（２ａ、２ｂ）が設けられる態様である。即ち、１個の車輪対９０に対応して凹陥部４が設けられる。なお、破線Ａは、車輪が載せられていない状態の後板９ａ（９ａ）の後端の位置である。
【００４２】
以上本発明の車止め構造の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。例えば、本発明においては、組み合わせ板を付勢する手段としてコイルバネや圧縮バネのほかに板バネや、エアシリンダ、デッドウエイト等の付勢手段の使用が可能である。凹陥部の深さを浅くするうえではコイルバネの使用が好ましい。又、前板、後板それぞれに独立に付勢手段が設けられてもよい。この場合は、前板の後端部と後板の前端部とが結合されない態様のあり得る。更に、連動部は、伸縮性部材、可撓性部材を介して前板の後端部と後板の前端部とを結合するものであってもよい。
【００４３】
【発明の効果】
本発明の車止め構造は、バリアフリーであり、構造が簡単である。かつ、車が正常でない速度で進入したり、正常でない方向から進入してもトラブルとならない。
【００４４】
本発明の車止め構造は、凹陥部の深さを浅くできる。
【図面の簡単な説明】
【図１】本発明の車止め構造の側面がわからみた説明図である。
【図２】図１の車止め構造の上面からみた説明図である。
【図３】本発明の車止め構造の他の態様の一例を示す側面がわからみた説明図である。
【図４】本発明の車止め構造の更に他の態様の一例を示す側面がわからみた説明図である。
【図５】本発明の車止め構造の又更に他の態様の一例を示す側面がわからみた説明図であり、図５（ａ）は車輪が載せられていない状態、図５（ｂ）は車輪が載せられた状態である。
【図６】本発明の車止め構造の地面への配置と車輪対の位置関係を示す上面模式図である。
【図７】従来の車止め構造の構成を示す側面がわからみた説明図である。上面模式図である。
【符号の説明】
１：地面
２、２ａ、２ｂ：車止め構造
４：凹陥部
６、６ａ：組み合わせ板
８、８ａ：前板
９、９ａ：後板
２６：前板連結部（前板支持部）
３８：後板連結部（後板支持部）
６０：当止面
６２、６２ａ：コイルバネ（付勢手段）
７０：車輪
８２：連動部
８８：受け部（後板支持部）
１１０、１２６：圧縮バネ（付勢手段）
【図１】
2004293224.tif 000003
【図２】
2004293224.tif 000004
【図３】
2004293224.tif 000005
【図４】
2004293224.tif 000006
【図５】
2004293224.tif 000007
【図６】
2004293224.tif 000008
【図７】
2004293224.tif 000009